(57)【要約】  治療レジメンを生成する方法及び装置が開示される。本方法は、治療ターゲット（１０１）及び治療制約入力（１０９）を受け取るステップと、患者特性の入力を受け取るステップ（１０２）と、一連の第１のサイクル及び第２のサイクルによって及び第１のサイクルの対応する数及び第２のサイクルの数によって各々定められる複数の腹膜透析治療レジメンを生成するステップ（１０３）と、（シミュレーション治療シミュレーション治療結果を生成するよう、入力された前記患者特性を考慮した前記複数の腹膜透析治療レジメンの各々について腹膜透析治療結果をシミュレーション（１０４）し、シミュレーション治療結果及び入力された治療ターゲット並びに制約に基づいて選択のため特定の治療に対して適用される腹膜透析治療レジメンを利用可能にするステップ（１０６）と、を含む。【選択図】図１
2020523045.tif 000002
【特許請求の範囲】
【請求項１】
治療ターゲット又は治療ターゲットレンジに適合するよう腹膜透析機械の動作を制御するように腹膜透析レジメンを生成する方法（１００）であって、
治療ターゲットの入力を受け取るステップ（１０１）と、
患者特性の入力を受け取るステップ（１０２）と、
一連の第１のサイクル及び第２のサイクルによって各々が定められる複数の腹膜透析治療レジメンを生成するステップ（１０３）であって、前記第１のサイクルがそれぞれ、第１の流入量及び第１のドウェル時間によって定められ、前記第２のサイクルがそれぞれ、第２の流入量及び第２のドウェル時間によって定められ、前記治療レジメンの各々が、ある数の第１のサイクルによって及びある数の第２のサイクルによって定められ、前記第１のサイクルの数及び／又は前記第２のサイクルの数が可変であり及び／又は互いに独立している、ステップと、
シミュレーション治療結果を生成するよう、前記入力された患者特性を考慮した前記複数の腹膜透析治療レジメンの各々について腹膜透析治療結果をシミュレーション（１０４）し、前記シミュレーション治療結果及び入力された前記治療ターゲットに基づいて選択のため特定の治療に対して適用される腹膜透析治療レジメンを利用可能にするステップ（１０６）と、を含む、
ことを特徴とする方法（１００）。
【請求項２】
許容可能な治療パラメータレンジを入力するステップ（１０９）を更に備え、前記複数の腹膜透析治療レジメン（１０３）が前記許容可能な治療パラメータレンジを考慮して生成される、
請求項１に記載の方法。
【請求項３】
前記第１のドウェル時間と前記第２のドウェル時間との間に一定の比率が予め定められる、
請求項１又は２に記載の腹膜透析レジメンを生成する方法（１００）。
【請求項４】
前記第１の流入量と前記第２の流入量との間に一定の比率が予め定められる、
請求項１ないし３の何れか１項に記載の腹膜透析レジメンを生成する方法（１００）。
【請求項５】
前記第１のサイクルは、前記第２のサイクルよりも短く且つ小さい、
請求項１ないし４の何れか１項に記載の腹膜透析レジメンを生成する方法（１００）。
【請求項６】
前記第１のグルコース濃度は、前記第１のサイクルに対して定義され、前記第２のグルコース濃度は、前記第２のサイクルに対して定義され、前記第１のグルコース濃度は、前記第２のグルコース濃度よりも大きい、
請求項５に記載の腹膜透析レジメンを生成する方法（１００）。
【請求項７】
前記第１のサイクルは、第２のサイクルよりも先行する、
請求項４に記載の腹膜透析レジメンを生成する方法（１００）。
【請求項８】
前記第１のサイクル及び前記第２のサイクルが互いに交互する、
請求項４に記載の腹膜透析レジメンを生成する方法（１００）。
【請求項９】
治療ターゲット又は治療ターゲットレンジに適合するよう腹膜透析機械の動作を制御するための腹膜透析レジメンを生成する装置（２）であって、
治療ターゲット入力ユニットと、
患者特性入力ユニットと、
一連の第１のサイクル及び第２のサイクルによって各々が定められる複数の腹膜透析治療レジメンを生成するよう構成された腹膜レジメン生成ユニットであって、前記第１のサイクルが第１の流入量及び第１のドウェル時間によって定められ、前記第２のサイクルが第２の流入量及び第２のドウェル時間によって定められ、前記治療レジメンの各々が、ある数の第１のサイクルによって及びある数の第２のサイクルによって定められ、前記第１のサイクルの数及び／又は前記第２のサイクルの数が可変であり及び／又は互いに独立している、腹膜レジメン生成ユニットと、
前記複数の腹膜透析治療レジメンの各々について腹膜透析治療結果をシミュレーションして、シミュレーション治療結果を生成するよう構成されたシミュレーションユニットと、
前記それぞれのシミュレーション治療結果及び前記治療ターゲットに基づいて前記複数の腹膜透析治療レジメンから特定の治療に適用される腹膜透析治療レジメンを選択するよう構成された選択ユニットと、を備えている、
ことを特徴とする腹膜透析レジメンを生成する装置（２）。
【請求項１０】
請求項１ないし８の何れかに記載の方法を実施するよう適合されている、
請求項９に記載の腹膜透析レジメンを生成する装置。
【請求項１１】
請求項９又は１０に記載の腹膜透析レジメンを生成する装置を備えた腹膜透析機械。
【請求項１２】
請求項９又は１０に記載の腹膜透析レジメンを生成する装置を含むデータベース用データベースモジュール。
【請求項１３】
請求項１２に記載のデータベースモジュールを有するデータベースと、前記データベースから腹膜透析レジメンをダウンロードするため前記データベースに接続され、ダウンロードした前記腹膜透析レジメンに従って動作するよう適合された腹膜透析機械とを備える、腹膜透析システム。
【請求項１４】
請求項１から８の何れかに記載の方向を適用することにより生成される腹膜透析レジメン。
【請求項１５】
コンピュータによって実行されたときに、前記コンピュータに請求項１ないし８の何れか１項に記載の方法を実行させる命令を含むコンピュータプログラム。
【請求項１６】
コンピュータ上で実行されたときに、請求項１ないし８の何れか１項に記載の方法を実行する命令を含むコンピュータ可読媒体。
【発明の詳細な説明】
【技術分野】
【０００１】
本発明は、治療レジメンの生成、特に腹膜透析治療装置を動作するためのレジメンを生成する分野に関する。
【背景技術】
【０００２】
自動腹膜透析（「ＡＰＤ」）を行う患者の割合は世界中で増加しており、これは、一部には、患者の私生活に関する患者の特定の要求及び患者の治療要求に適応するＡＰＤの能力に起因するものである。透析、溶質クリアランス及び限外濾過（「ＵＦ」）の２つの主な目的は、実施されるＡＰＤのモダリティ又はタイプによって決まる。
【０００３】
従来、ＡＰＤデバイスは通常、患者の最近の治療の有効性に関して患者へのフィードバックを提供する能力を有していなかった。また、ＡＰＤデバイスは通常、実際に測定された１日のクリアランス及びＵＦに基づいて治療パラメータ（例えば、モダリティ、溶液の種類、治療時間、及び充填容積）を調整しないようにオープンループを実行した。従って、一部の患者は、彼らのターゲットが達成されず、体液過剰及び場合によっては高血圧のような有害な状況を発現させるという著しいリスクが存在した。
【０００４】
上記の問題に対処するために、特定の治療ターゲット（例えば、限外濾過容積、クリアランス）及び治療入力のレンジ（例えば、交換回数、流入量、サイクル時間、溶液選択）と組み合わせた患者の生理学的データを用いて、提供されるレンジ内に収まる実施可能なレジメンを計算又は送達するコンピュータによる処方最適化システムが開発されてきた。
【０００５】
患者特性は、患者の輸送及びＵＦ特性を分類するために、物質移動面積係数（「ＭＴＡＣ」）データ及び透水率データを含む。腹膜透析治療の結果をシミュレーションするために、種々のアルゴリズムが開発されて文献にて記載されている（「Ｋｉｎｅｔｉｃ  ｍｏｄｅｌｌｉｎｇ  ｉｎ  Ｐｅｒｉｔｏｎｅａｌ  ｄｉａｌｙｓｉｓ（腹膜透析における動力学的モデリング）」，Ｇｏｔｃｈ，Ｋｅｅｎ，Ｃｌｉｎｉｃａｌ  Ｄｉａｌｙｓｉｓ，４ｔｈ  ｅｄｉｔｉｏｎ，２００５：ｐ３８５−ｐ４１９）。透析治療結果をシミュレーションするために高頻度で使用される１つのアルゴリズムは、３細孔モデル（ｔｈｒｅｅ−ｐｏｒｅ  ｍｏｄｅｌ）を利用しており、これは、患者の腹膜の３つの異なるサイズの細孔にわたる予測クリアランスを追加する。腹膜の血管の大きな孔、小さな孔、及び微小孔を通る毒素の流れが合計される。例えば、尿素及びクレアチニンは、小さな孔を通して患者の血液から除去される。大きな孔は、より大きなタンパク質分子が患者の血液から透析液に通過することを可能にする。何れの場合も、浸透圧勾配により患者の血液から透析液に毒素が送り込まれる。より簡易的な２つの細孔モデルでは、２つの異なるサイズの孔だけが考慮される。代替として、いわゆるツープール腹膜透析動力学的モデルを用いて、腹膜透析における流体及び溶質除去を予測して、治療結果をシミュレーションすることができる。２つのプールモデルは、「等価」膜コアの身体及び透析液区画の両方において拡散及び対流物質輸送の両方を全体的に記述する微分方程式のセットを利用している。
【０００６】
処方最適システムは通常、２つの細孔、３つの細孔又は２つのプールモデルもしくは他のモデルを適用し、ターゲット情報及び他の治療入力情報を使用してレジメンを生成する。
【０００７】
本出願の発明者は、従来の治療レジメンは、必ずしも最適な治療結果をもたらしておらず、患者が治療方針に届かない結果となることを見いだした。
【０００８】
従って、本発明の目的は、治療方針及び対応するデバイスの改善された成果に照らして、腹膜透析治療を制御するための腹膜透析治療レジメンを生成する改善された方法を提供することである。
【先行技術文献】
【非特許文献】
【０００９】
【非特許文献１】「Ｋｉｎｅｔｉｃ  ｍｏｄｅｌｌｉｎｇ  ｉｎ  Ｐｅｒｉｔｏｎｅａｌ  ｄｉａｌｙｓｉｓ（腹膜透析における動力学的モデリング）」，Ｇｏｔｃｈ，Ｋｅｅｎ，Ｃｌｉｎｉｃａｌ  Ｄｉａｌｙｓｉｓ，４ｔｈ  ｅｄｉｔｉｏｎ，２００５：ｐ３８５−ｐ４１９
【発明の概要】
【００１０】
上述の目的は、治療ターゲット又は治療ターゲットレンジに適合するよう腹膜透析治療機械の動作を制御する腹膜透析レジメンを生成する方法によって解決される。
本方法は、
治療ターゲットの入力を受け取るステップと、
患者特性の入力を受け取るステップと、
一連の第１のサイクル及び第２のサイクルによって及び対応する数の第１のサイクル及びある数の第２のサイクルによって各々が定められる複数の腹膜透析治療レジメンを生成するステップと、
シミュレーション治療結果を生成するよう、入力された前記患者特性を考慮した複数の腹膜透析治療レジメンの各々について腹膜透析治療結果をシミュレーションし、シミュレーション治療結果及び入力された治療ターゲットに基づいて選択のため特定の治療に対して適用される腹膜透析治療レジメンを利用可能にするステップと、を含む。
提案された方法によれば、第１のサイクルは、第１の流入量及び第１のドウェル時間によって定められ、第２のサイクルは、第２の流入量及び第２のドウェル時間によって定められ、第１のサイクルの数及び／又は第２のサイクルの数が可変であり及び／又は互いに独立している。
有利には、本方法は、治療パラメータレンジ入力を受け取るステップと、１又は２以上の治療パラメータに対して許容可能なレンジ、換言すると１又は２以上の治療制約のセットを記述するステップと、を含み、複数の腹膜透析レジメンが１又は２以上の治療パラメータの許容可能なレンジ内で生成される。
更に有利には、第１のグルコース濃度は、第１のサイクルに対して定義され、第２のグルコース濃度は、第２のサイクルに対して定義され、第２のグルコース濃度は、第１のグルコース濃度とは異なる。更に、上述の目的は、独立請求項の主題によって解決される。有利な実施形態は、従属請求項によって提供される。
【００１１】
（更なる実施形態）
本開示によれば、本開示の特定の態様に焦点を当てることを目的として、実施形態１〜１４が提供される。
【００１２】
（実施形態１）：治療ターゲット又は治療ターゲットレンジに適合するよう腹膜透析機械の動作を制御するための腹膜透析レジメンを生成する方法であって、
治療ターゲットの入力を受け取るステップと、
患者特性の入力を受け取るステップと、
一連の第１のサイクル及び第２のサイクルによって各々が定められる複数の腹膜透析治療レジメンを生成するステップであって、第１のサイクルがそれぞれ、第１の流入量及び第１のドウェル時間によって定められ、第２のサイクルがそれぞれ、第２の流入量及び第２のドウェル時間によって定められ、第１のサイクルは、第２のサイクルよりも短く且つ小さく、第１のグルコース濃度は、第１のサイクルに対して定義され、第２のグルコース濃度は、第２のサイクルに対して定義され、該第１のグルコース濃度は、第２のグルコース濃度よりも大きい、ステップと、
シミュレーション治療結果を生成するよう、入力された前記患者特性を考慮した複数の腹膜透析治療レジメンの各々について腹膜透析治療結果をシミュレーション（１０４）し、シミュレーション治療結果及び入力された治療ターゲットに基づいて選択のため特定の治療に対して適用される腹膜透析治療レジメンを利用可能にするステップと、を含む、
ことを特徴とする方法。
【００１３】
（実施形態２）：許容可能な治療パラメータレンジを入力するステップを更に備え、前記複数の腹膜透析治療レジメンが前記許容可能な治療パラメータレンジを考慮して生成される、実施形態１に記載の方法。
【００１４】
（実施形態３）：第１のドウェル時間と第２のドウェル時間との間に一定の比率が予め定められる、実施形態１又は２に記載の腹膜透析レジメンを生成する方法。
【００１５】
（実施形態４）：第１の流入量と第２の流入量との間に一定の比率が予め定められる、実施形態１ないし３の何れか１つに記載の腹膜透析レジメンを生成する方法。
【００１６】
（実施形態５）：第１のサイクルは、第２のサイクルよりも先行する、実施形態１ないし４の何れか１つに記載の腹膜透析レジメンを生成する方法。
【００１７】
（実施形態６）：第１のサイクル及び第２のサイクルは互いに交互している、実施形態１ないし４の何れか１つに記載の腹膜透析レジメンを生成する方法。
【００１８】
（実施形態７）：治療ターゲット又は治療ターゲットレンジに適合するよう腹膜透析機械の動作を制御するための腹膜透析レジメンを生成する装置であって、
治療ターゲット入力ユニットと、
患者特性入力ユニットと、
一連の第１のサイクル及び第２のサイクルによって各々が定められる複数の腹膜透析治療レジメンを生成するよう構成された腹膜レジメン生成ユニットであって、第１のサイクルが第１の流入量及び第１のドウェル時間によって定められ、第２のサイクルが第２の流入量及び第２のドウェル時間によって定められ、第１のサイクルは、第２のサイクルよりも短く且つ小さく、第１のグルコース濃度は、第１のサイクルに対して定義され、第２のグルコース濃度は、第２のサイクルに対して定義され、該第１のグルコース濃度は、第２のグルコース濃度よりも大きい、腹膜レジメン生成ユニットと、
複数の腹膜透析治療レジメンの各々について腹膜透析治療結果をシミュレーションして、シミュレーション治療結果を生成するよう構成されたシミュレーションユニットと、
それぞれのシミュレーション治療結果及び治療ターゲットに基づいて複数の腹膜透析治療レジメンから特定の治療に適用される腹膜透析治療レジメンを選択するよう構成された選択ユニットと、を備える、
ことを特徴とする腹膜透析レジメンを生成する装置。
【００１９】
（実施形態８）：実施形態１ないし６の何れかに記載の方法を実施するよう適合されている、実施形態７に記載の腹膜透析レジメンを生成する装置。
【００２０】
（実施形態９）：実施形態７又は８に記載の腹膜透析レジメンを生成する装置と、入力溶液から腹膜透析液を混合して第１のグルコース濃度の腹膜透析液及び第２のグルコース濃度の腹膜透析液を生成する溶液混合ユニットと、上記混合ユニットを制御する用適合された制御ユニット及び／又は選択された治療レジメンに従って動作する注入ユニットとを備える、腹膜透析機械。
【００２１】
（実施形態１０）：実施形態７又は８に記載の装置を含むデータベース用のデータベースモジュール。
【００２２】
（実施形態１１）：実施形態１０に記載のデータベースモジュールを有するデータベースと、データベースから腹膜透析レジメンをダウンロードするためデータベースに接続され、ダウンロードした腹膜透析レジメンに従って動作するよう適合された腹膜透析機械とを備える、腹膜透析システム。
【００２３】
（実施形態１２）：実施形態１ないし６の何れかに記載の方法を適用することによって生成される腹膜透析レジメン。
【００２４】
（実施形態１３）：コンピュータによって実行されたときに、コンピュータに実施形態１ないし６の何れか１項に記載の方法を実行させる命令を含むコンピュータプログラム。
【００２５】
（実施形態１４）：コンピュータ上で実行されたときに、実施形態１ないし６の何れか１項に記載の方法を実行する命令を含むコンピュータ可読媒体。
【図面の簡単な説明】
【００２６】
【図１】腹膜透析治療レジメンを生成し、生成した治療を患者に適用する方法を示す図である。
【図２】腹膜透析治療レジメン生成デバイスを示す図である。
【図３】治療レジメン生成デバイスを含む腹膜透析機械を示す図である。
【図４】データベース及び腹膜透析機械を含む腹膜透析システムを示す図である。
【図５】腹膜透析治療レジメンの候補セットのグラフィック表現である。
【図６】腹膜透析治療レジメンの候補セットのグラフィック表現である。
【図７】腹膜透析治療レジメンの候補セットのグラフィック表現である。
【図８】腹膜透析治療レジメンの候補セットのグラフィック表現である。
【図９】腹膜透析治療レジメンの候補セットのグラフィック表現である。
【図１０】腹膜透析治療レジメンの候補セットのグラフィック表現である。
【発明を実施するための形態】
【００２７】
図１は、腹膜透析治療を実施するよう腹膜透析機械の動作を制御するための腹膜レジメンを生成する方法１００の１つの実施形態を示す。
各腹膜透析レジメンは、治療に適用される腹膜透析液、及びこれによりグルコース濃度の観点で、また、一連の交換サイクルの数、充填量並びに充填時間、ドウェル時間及び排液時間を含むタイミングによって腹膜透析治療を定める。
【００２８】
本方法は、治療ターゲット入力又は治療ターゲットレンジ入力を受け取る、詳細には、患者データベースから又はオペレータ（患者、看護師、医師、介護士、或いは患者の治療を管理する際に患者を支援する人など）からの腹膜透析治療ターゲット又はターゲットレンジ入力を受ける入力ステップ１０１を含む。治療ターゲット値は、治療結果を記述する１又は２以上のパラメータ値の観点で所望の治療結果を定める。治療ターゲット値は、医師によって指示することができる。１つの実施形態において、治療ターゲットは、限外濾過容積又はクレアチニン又は尿素クリアランスなどの溶質クリアランスによって、或いはこれらの組み合わせによって定義される。
【００２９】
有利には、本方法は、データベース又はオペレータから治療パラメータレンジ入力を受け取る入力ステップ１０９を含む。治療パラメータレンジは、１又は２以上の治療パラメータの許容可能レンジ、又は換言すると１又は２以上の治療制約のセットを記述する。治療パラメータレンジは、特定の患者又は特定の腹膜透析機械もしくは機械タイプに関連付けることができる。
【００３０】
例えば、治療制約は、特定の患者に許容される最大流入量のような特定の安全パラメータ及び／又は最大総治療時間のような特定の生活の質特有のパラメータを定義することができる。ＡＰＤ患者は、多くの場合、午前中の特定の定められた時間に夜間ＡＰＤ治療を終了しなければならず、従って、総治療時間を制限する必要がある。
【００３１】
本方法は、データベース又はオペレータから、腹膜輸送特性値又はＢＳＡ（体表面積）もしくは他の患者特性値などの患者特性入力を受け取る更なる入力ステップ１０２を含む。患者の体表面積は、患者の身長及び体重を入力として用いてデュボアの式のような疫学的式に基づいて推定することができる。患者の腹膜輸送特性値は、輸送体タイプと呼ばれることもあり、腹膜機能検査によって事前に決定することができる。特定の予め定められた均衡条件では、クレアチニン又は場合によっては尿素についての特定のＤ／Ｐ比（透析液／血漿比）は、特定の輸送体タイプに対応すると見なすことができる。
【００３２】
レジメン生成ステップ１０３において、パラメータレンジ又は「溶液スペース」内、例えば、事前に入力された許容可能治療パラメータレンジ／治療制約内の腹膜透析レジメンが生成され、各腹膜透析レジメンは、流入量すなわち患者に最初に注入された腹膜透析液の容積によって定義される一連の交換サイクル、ドウェル時間、すなわち溶液が能動的に抜き取られるか又は注入されていない時間、並びに注入時間、ドウェル時間及び抜き取り又は排液時間の総和である総交換時間によって定義される。更に、腹膜透析レジメンはまた、溶液のグルコース濃度を記述する値を含む、特定の治療に適用される腹膜透析液の記載を含むことができる。
【００３３】
本発明の技術によれば、各腹膜透析レジメンは、一連の第１のサイクル及び第２のサイクルによって定義され、複数の腹膜透析レジメンの各腹膜透析レジメンの第１のサイクルは、第１の流入量及び第１のドウェル時間によって定義され、複数の腹膜透析レジメンの各腹膜透析レジメンの第２のサイクルは、第２の流入量及び第２のドウェル時間によって定義され、各治療レジメンは、幾つかの第１のサイクルによって及び幾つかの第２のサイクルによって定義され、第１のサイクルの数及び／又は第２のサイクルの数は、可変であり、及び／又は互いに独立している。
【００３４】
１つの実施形態において、第１のサイクルは、第２のサイクルよりも短く小さい。この実施形態において、第１のすなわち小さいサイクルの流入量は、患者の８００ｍｌ／ｍ2ＢＳＡに対して第１の予め定められた関係に従って決定することができる。より短いサイクルのドウェル時間及び総サイクル時間は各々、より短いサイクルについての輸送体タイプ又は腹膜輸送特性値に対応する予め定められた関係に従って決定することができる。より大きいサイクルの流入量は、患者の１５００ｍｌ／ｍ２ＢＳＡ（体表面積）に対して第２の予め定められた関係に従って決定することができる。より長いサイクルのドウェル時間及び総サイクル時間は、より長いサイクルについての腹膜輸送特性値又は輸送体タイプに対応する予め定められた関係に従って各々決定することができる。より短い及びより小さいサイクルは、より長い及びより大きいサイクルに先行している。本実施形態によれば、腹膜透析治療レジメンについての溶液スペース又はパラメータレンジ内で、より短い及びより小さい／短いサイクルの数は、第１の自由度であり、より大きい／長いサイクルの数は別の自由度である。この実施形態において、第１のサイクルの数は、第２のサイクルの数とは独立しており、第１のサイクルの数及び第２のサイクルの数の両方は可変である。
【００３５】
腹膜透析治療レジメンのパラメータレンジ又は溶液スペース内の別の自由度は、腹膜透析液のタイプ及び／又は適用される腹膜透析液のグルコース濃度とすることができる。グルコース濃度のパラメータレンジは、後続のシミュレーションステップの要求に応じて、及び／又は利用可能な腹膜透析液に応じて並びにＰＤ機械の能力に基づいてサンプリングすることができる。１つの実施形態において、ＰＤ機械は、グルコースプロファイリングを提供する能力、すなわち、治療中にグルコース濃度を適合させる能力を備えることができる。本明細書において、第１のグルコース濃度は、第１のサイクルに対して定義することができ、第２のグルコース濃度は、第２のサイクルに対して定義することができる。別の実施形態によれば、適用される腹膜透析液の溶液タイプ及び／又はグルコース濃度は、予め定めることができる。
【００３６】
レジメン生成ステップ１０３の第１の変形形態によれば、小さな交換サイクルの交換容積のサイズと、大きな交換サイクルの交換容積のサイズとの間には一定の比率が定められる。この第１の変形形態によれば、小さな交換サイクル又は大きな交換サイクルの何れかの絶対容積は、追加の自由度である。従って、パラメータレンジ又は溶液スペースは、以下の自由度、すなわち、小さな交換サイクル又は大きな交換サイクルの何れかの絶対サイズ、小さな交換サイクルの数、大きな交換サイクルの数、腹膜透析液の溶液タイプ／グルコース濃度又は上述の腹膜透析液の第１及び第２のグルコース濃度を有する。パラメータレンジは、後続のシミュレーションステップの要求に応じて、及び／又はグルコース濃度の場合には利用可能な腹膜透析液に応じて及び／又はＰＤ機械能力に応じてサンプリングすることができる。上述のレジメン生成ステップ１０３の第２の変形形態によれば、より短いサイクル及びより長いサイクルに対するドウェル時間及び総サイクル時間は、輸送特性値又は輸送体タイプに対するそれぞれの予め定められた関係に従って計算される。第２の変形形態によれば、小さな交換サイクル又は大きな交換サイクルの絶対容積は、追加の自由度である。従って、パラメータレンジ又は溶液スペースは、以下の自由度、すなわち、小さな交換サイクル及び大きな交換サイクルの絶対サイズ、小さな交換サイクルの数、大きな交換サイクルの数、腹膜透析液の溶液タイプ／グルコース濃度、又は上述の腹膜透析液の第１及び第２のグルコース濃度を有する。パラメータレンジは、後続のシミュレーションステップの要求、及び／又は利用可能な腹膜透析液、及び／又はＰＤ機械能力（グルコース濃度に対する）に応じてサンプリングすることができる。
【００３７】
上述のレジメン生成ステップ１０３の別の変形形態によれば、大きな交換サイクル及び小さな交換サイクルのドウェル時間は、追加の自由度である。更に、第２の変形形態と同様に、小さな交換サイクル又は大きな交換サイクルの絶対容積はそれぞれ可変である。従って、溶液スペース又はパラメータレンジは、以下の自由度、すなわち、小さな交換サイクル又は大きな交換サイクルのドウェル時間、小さな交換サイクル又は大きな交換サイクルの絶対サイズ、小さな交換サイクルの数、大きな交換サイクルの数、腹膜透析液のグルコース濃度、又は上述の腹膜透析液の第１及び第２のグルコース濃度を有する。シミュレーションステップ１０４において、処方パラメータは、予め定められた（許容可能な）治療パラメータレンジ又は溶液スペース内で変化し、シミュレーションツールに入力されて、シミュレーション治療結果又は品質パラメータを決定する。１つの実施形態において、シミュレーション治療結果は、限外濾過、クレアチニンもしくは尿素クリアランスの観点で、又はこれらのパラメータを組み合わせたコスト関数の観点で表わされる。
【００３８】
治療結果のシミュレーションでは、当該技術分野にて周知のように、３つの細孔モデル、２つの細孔モデル、又は２つのプールモデルを適用することができる。
【００３９】
マッチングステップ１０５において、事前入力治療ターゲット又は治療ターゲットレンジは、腹膜透析治療レジメンのセット内の腹膜透析治療レジメンの各々に対してシミュレーション治療結果とマッチング（整合）され、予め定められた許容可能な治療ターゲット又は治療ターゲットレンジに適合する処方候補のセットを生成し、或いは、換言すると、許容可能な治療結果レンジ内のシミュレーション治療結果を有する（許容可能な）治療パラメータレンジ内の処方候補のセットの処方を生成する。治療レジメン候補のセット内の処方は、ステップ１０６においてオペレータによる選択に利用される。
【００４０】
次いで、オペレータは、ステップ１０７において選択可能な腹膜透析治療レジメンのセット内で特定の治療に対して適用されることになる処方を選択することができる。
【００４１】
最後に、ステップ１０８において、選択された腹膜透析治療レジメンに従った腹膜透析治療が、治療される患者に対して実施される。このため、機械には、当該特定の治療レジメンのための腹膜透析液又は溶液を含む、すなわち、適切な溶液タイプ及びグルコース濃度を有する腹膜透析液又は選択された治療レジメンに対応する適切な溶液及び濃度の組み合わせを可能にする１又は２以上の腹膜透析液バッグが供給される。患者は、腹膜透析機械に接続され、腹膜透析機械は、選択された治療レジメンに従って一連の治療サイクルを適用するよう動作し、すなわち、ポンプ及び弁が、流入量及びそれぞれのサイクルのグルコース濃度、並びに第１及び第２の治療サイクルのスケジュールによって定められる総サイクル時間及びドウェル時間により定められる腹膜透析流体の供給及び抜き取りする目的で動作する。
【００４２】
図２は、許容可能な治療パラメータレンジ／治療制約内で一連の第１の交換サイクル及び第２の交換サイクルを適用し、これにより治療ターゲット又は治療ターゲットレンジに適合する働きをするよう腹膜透析治療機械の動作を制御する腹膜透析レジメンを生成する腹膜透析レジメン生成装置２を示している。レジメン生成装置２は、図１に関して記載した方法１００を適用することにより動作するように適合されている。
【００４３】
レジメン生成装置２は、特定の患者に対する治療ターゲット又は治療ターゲットレンジを入力するための治療ターゲット入力２０１を含む。治療ターゲットは、手動動作Ｉ／Ｏデバイスに入力されるか、或いは、それぞれの患者データ記録として治療ターゲット又は治療ターゲットレンジを含む患者データ記録を管理しているデータベースから入力することができる。治療ターゲット又は治療ターゲットレンジは、医師により指示することができる。
【００４４】
レジメン生成装置２は更に、患者特性を入力するための患者特性入力ユニット２０２を含む。患者特性は、手動動作Ｉ／Ｏデバイスに入力されるか、或いは、それぞれの患者データ記録として患者特性を含む患者データ記録を管理しているデータベースから入力することができる。患者特性は、腹膜輸送特性値及び図１の方法に関連して上記に記載された他の患者特性を含むことができる。
【００４５】
レジメン生成装置２は更に、許容可能な治療パラメータレンジ内の腹膜透析レジメンの初期セットを生成するよう構成された腹膜透析レジメン生成ユニット２０３を含む。腹膜透析治療レジメンの初期セット内の各腹膜透析レジメンは、一連の第１及び第２のサイクルによって定義され、第１のサイクルは、第１の流入量、第１のドウェル時間及び有利には第１のグルコース濃度によって定義され、第２のサイクルは、第２の流入量、第２のドウェル時間及び有利には第２のグルコース濃度によって定義され、腹膜透析治療レジメンの初期セット内の治療レジメンは、第１のサイクルの数及び第２のサイクルの数によって定義され、第１のサイクルの数及び第２のサイクルの数は、可変であり、及び／又は互いに独立している。
【００４６】
腹膜透析治療レジメン生成ユニット２０３は、許容可能な治療パラメータレンジ入力を受け取るよう構成することができ、治療パラメータレンジは、腹膜透析治療レジメンのセットの腹膜透析レジメンに対する治療パラメータの間隔を定義する。許容可能な治療パラメータレンジ／治療制約は、治療される患者の患者データ記録に含めることができる。許容可能な治療パラメータレンジ／治療制約は、医師により指示することができる。
【００４７】
腹膜透析治療レジメン生成ユニット２０３、患者特性入力ユニット２０２、及び腹膜透析レジメン生成ユニット２０３は、複数の腹膜透析治療レジメンの各々についての腹膜透析治療結果をシミュレーションしてシミュレーション治療結果を生成するよう構成されたシミュレーションユニット２０４に接続される。
【００４８】
シミュレーションユニット２０４は更に、シミュレーション治療結果と、腹膜透析治療レジメンのセット内の腹膜透析治療レジメンに対する治療ターゲット又は治療ターゲットレンジ、すなわち、許容可能な治療パラメータレンジ／治療制約とをマッチングさせて、予め定められた許容可能治療ターゲット又は治療ターゲットレンジに適合する治療レジメン候補のセットを生成するよう構成されている。
【００４９】
シミュレーションユニット２０４は、腹膜透析治療レジメン候補のセットの送信のため選択ユニット２０５に接続される。選択ユニット２０５において、腹膜透析治療候補のセットの腹膜透析治療候補は、オペレータによる特定の治療に適用される腹膜透析治療レジメンの選択に利用される。
【００５０】
図３は、図２に関して上記で記載されたレジメン生成装置２を含む腹膜透析機械３の１つの実施形態を示す。腹膜透析機械３は、ユーザーインターフェースＵＩ、少なくとも１つのセンサＳ、並びに特定の治療レジメンに従って腹膜透析機械を作動させる弁及びポンプのような１又は２以上の能動体を含む注入ユニットＡを備える。注入ユニットＡは、腹膜透析治療を受ける患者Ｐに流体接続され、腹膜透析液を患者に供給して、患者から代謝廃棄物を含む溶液を抜き取る。治療レジメンのサイクルの各々において、特定の溶液濃度を定義することができる。１つの実施形態において、予め定められた濃度セットの濃度の透析液（例えば、１．５％、２．３％、又は４．２５％グルコース）は、治療レジメンの各サイクルに対して適用される。例えば、１．５％、２．３％、又は４．２５％グルコースの溶液バッグのような溶液源は、注入ユニットＡに連続的に接続され、治療レジメンの特定のサイクルに対して定義された適切な濃度の透析液を患者に注入することができる。
【００５１】
代替の実施形態において、注入ユニットＡは、入力溶液からの腹膜透析液を混合して、腹膜透析治療レジメンに必要な１又は２以上の腹膜透析液濃度を生成する溶液混合ユニットＭＵに接続される。入力濃縮物の混合は、溶液混合ユニットＭＵ内で、或いは、第１の濃度の溶液と第２の濃度の溶液とを患者の腹部に連続的に注入することにより腹膜腹部内で実施することができ、連続的注入は溶液混合ユニットにより制御される。溶液混合ユニットＭＵは、例えば、１．５％、２．３％、又は４．２５％グルコースの溶液バッグのような少なくとも２つの溶液源に接続される。患者の腹部との連続的注入及び混合が適用される場合には、流入フェーズは、各々が異なる溶液（グルコース）で２つの別個の流入フェーズに分けることができる。この実施形態において、サイクルに対するグルコース濃度は、溶液源の利用可能な濃度に応じて、例えば、［１．５％，２．３％］又は［２．３％，４．２５％］グルコースの間隔内で可変とすることができる。例えば、容積Ｖ及びグルコース濃度ｇ（例えば、ｇは１．５％〜２．３％グルコース間の任意の値を有する）のサイクルを治療レジメン内で定義することができる。そこで、２つの隣接する流入フェーズは、容積Ｖ１及びＶ２、並びに例えばグルコース濃度ｇ１＝１．５％及びｇ２＝２．３％（又はｇ１＝２．３％及びｇ２＝１．５％）で決定付けられて、次式のようになる。
Ｖ１＋Ｖ２＝Ｖ
ｇ１*Ｖ１＋ｇ２*Ｖ２＝ｇ*Ｖ
【００５２】
ｇ１、ｇ２、ｇ及びＶが与えられると、上記式を解いてＶ１及びＶ２を計算することができる。
【００５３】
溶液混合ユニットは、（患者の腹部内で）容積Ｖ及び等価混合グルコースｇをもたらすことになる連続する２つの流入（Ｖ１，ｇ１）及び（Ｖ２，ｇ２）を実施するよう制御することができる。
【００５４】
濃縮物の混合は、治療レジメンの各サイクルに対して実施することができ、唯一の制約は、溶液混合ユニットが扱うことができるバッグの最大数（例えば、６つのバッグ）を超えないことである。
【００５５】
ユーザーインターフェースＵＩ、センサＳ、注入ユニットＡ及びレジメン生成装置２は、中央処理ユニットＣＰＵに接続される。中央処理ユニットＣＰＵは、レジメン生成装置２から特定の治療に対する選択された腹膜透析治療レジメンを受け取り、注入ユニットＡ及び／又は溶液混合ユニットＭＵを制御して、選択された腹膜透析治療レジメンに従って流体交換サイクルを適用することで患者Ｐに腹膜透析治療を実施する。
【００５６】
図４は、腹膜透析治療を患者Ｐ２に適用するため者Ｐ２に流体接続された腹膜透析装置３１に治療レジメン又は治療レジメンのセットを供給する患者データベース４を備えた腹膜透析システム６を示している。患者データベース４は、腹膜透析患者の患者データ記録を管理するデータベースモジュール４１を備える。各患者データ記録は、上述のような、患者特性、許容可能な治療パラメータレンジ／治療制約、及び治療ターゲット又は治療ターゲットレンジを含むことができる。データベースモジュール４１は、レジメン生成装置２に接続されて、患者特性及び治療ターゲット又は治療ターゲットレンジを図２に関して上述されたレジメン生成装置に提供する。患者データベース４は、腹膜透析レジメン記録を送信するため腹膜透析機械３１に接続される。腹膜透析機械３１は、患者Ｐ２に流体接続され、同様に図３に関して上述されたような、受け取った治療レジメンに従って腹膜治療を実施する。
【００５７】
図５は、上述のようにシミュレーションに入力される腹膜透析治療レジメンの候補セットのグラフィック表現である。
【００５８】
図５に示す実施形態によれば、ある数の第１のサイクルはある数の第２のサイクルに先行し、第１のサイクルは、より小さくより短く、第２のサイクルは、より大きくより長い。
【００５９】
通常は、より短くより小さいサイクルは限外濾過であり、より長くより大きいサイクルは溶質クリアランスである。有利には、第１のグルコース濃度は、限外濾過をターゲットとするサイクルに対して定義され、第２のグルコース濃度は、溶質クリアランスをターゲットとするサイクルに対して定義され、より大きいグルコース濃度は、限外濾過をターゲットとするサイクルに対して定義され、これにより、より大きい浸透圧勾配及び／又は浸透圧を生成する。
【００６０】
図５に示す実施形態によれば、第１のすなわちより小さくより短いサイクルの数及び第２のサイクルの数は可変であり、互いに独立している。
【００６１】
図５に示す実施形態において、腹膜透析治療レジメンは、以下の自由度、すなわち、第１のより小さくより短いサイクルの数、第２のより長くより大きいサイクルの数、並びに治療のため適用される腹膜透析液の溶液タイプ／グルコース濃度を有する。グルコース濃度のパラメータレンジは、後続のシミュレーションステップの要求に応じて、及び／又は利用可能な腹膜透析液又はＰＤ機械能力に応じてサンプリングすることができる。
【００６２】
図５の実施形態によれば、第１及び第２のサイクルの流入量は、体表面積に対して第１及び第２の予め定められた関係に従って決定される。第１及び第２のサイクルのドウェル時間及び総サイクル時間は各々、それぞれの第１又は第２のサイクルに対する輸送体タイプ又は腹膜輸送特性値に対応する予め定められた関係に従って決定することができる。
【００６３】
図６は、代替の実施形態において腹膜透析治療の候補セットのグラフィック表現である。図５に示した実施形態と同様に、より短くより小さいサイクルは、より大きくより長いサイクルよりも先行し、第１のすなわちより小さくより短いサイクルの数及び第２のすなわちより大きくより長いサイクルの数は可変であり、互いに独立している。更に、第１及び第２のサイクルのドウェル時間及び総サイクル時間は各々、それぞれの第１又は第２のサイクルに対する輸送体タイプ又は腹膜輸送特性値に対応する予め定められた関係に従って決定することができる。図５に示す実施形態とは異なって、小さい交換サイクル及び／又は大きい交換サイクルの絶対容積は、追加の自由度である。小さな交換サイクルの交換容積のサイズと、大きな交換サイクルの交換容積のサイズとの間には一定の比率を定めることができる。或いは、大きな交換サイクル及び小さな交換サイクルの交換容積は、独立して可変とすることができる。従って、パラメータレンジ又は溶液スペースは、以下の自由度、すなわち、小さな交換サイクル及び／又は大きな交換サイクルの容積、小さな交換サイクルの数、大きな交換サイクルの数、腹膜透析液の溶液タイプ／グルコース濃度を有する。パラメータレンジは、シミュレーション要求に応じて、及び／又は溶液タイプ可用性又はＰＤ機械の混合及び／又は溶液プロファイリング能力（グルコース濃度に対する）に応じてサンプリングすることができる。
【００６４】
図７は、別の代替の実施形態において腹膜透析治療の候補セットのグラフィック表現である。図５及び６に示される実施形態と同様に、より短い及びより小さいサイクルは、より長い及びより大きいサイクルに先行し、第１のすなわちより小さくより短いサイクルの数及び第２のすなわちより大きくより長いサイクルの数は可変であり、互いに独立している。
【００６５】
図５及び図６に示す実施形態とは違って、より大きい交換サイクル及び／又はより小さい交換サイクルのドウェル時間は、追加の自由度である。短い交換サイクルのドウェル時間と、長い交換サイクルのドウェル時間との間には一定の比率を定めることができる。或いは、大きな交換サイクル及び小さな交換サイクルのドウェル時間は、独立して可変とすることができる。
【００６６】
従って、パラメータレンジ又は溶液スペースは、以下の自由度、すなわち、小さな交換サイクル及び／又は大きな交換サイクルの絶対容積、短い交換サイクル及び／又は長い交換サイクルのドウェル時間、小さな交換サイクルの数、大きな交換サイクルの数、腹膜透析液の溶液タイプ／グルコース濃度を有する。パラメータレンジは、後続のシミュレーションステップの要求に応じて、及び／又は利用可能な腹膜透析液、又は混合、及び／又は溶液タイプ可用性又はＰＤ機械の混合及び／又は溶液プロファイリング能力（グルコース濃度に対する）に応じてサンプリングすることができる。
【００６７】
図８は、腹膜透析治療シミュレーションに入力される腹膜透析治療レジメンの代替の候補セットのグラフィック表現である。
【００６８】
図８に示される実施形態によれば、第１のタイプのより小さくより短いサイクルは、第２のタイプのより大きくより長いサイクルと交互する。
【００６９】
図８に示す実施形態によれば、第１のすなわちより小さくより短いサイクルの数及び第２のすなわちより大きくより長いサイクルの数が可変である。
【００７０】
従って、図８に示す実施形態によれば、短い／小さいサイクルの数及び大きい／長いサイクルの数が結合される。腹膜透析治療レジメンのパラメータ又は自由度としてパラメータ充填容積、ドウェル時間及びグルコース濃度に関連して、図８に示される腹膜透析治療レジメンの候補セットは、図５の候補セットに相当する。
【００７１】
図９は、腹膜透析治療シミュレーションに入力される腹膜透析治療レジメンの別の代替の候補セットのグラフィック表現である。
【００７２】
図８に示した候補セットと同様に、第１のタイプのより小さくより短いサイクルは、第２のタイプのより大きくより長いサイクルと交互し、第１のすなわちより小さくより短いサイクルの数及び第２のすなわちより大きくより長いサイクルの数が可変である。腹膜透析治療レジメンのパラメータ又は自由度としてパラメータ充填容積、ドウェル時間及びグルコース濃度に関連して、図９に示される腹膜透析治療レジメンの候補セットは、図６の候補セットに相当する。
【００７３】
図１０は、腹膜透析治療シミュレーションに入力される腹膜透析治療レジメンの更に別の代替の候補セットのグラフィック表現である。
【００７４】
図８及び図９に示した候補セットと同様に、第１のより小さくより短いサイクルは、第２のより大きくより長いサイクルと交互し、第１のサイクルの数及び第２のサイクルの数が可変である。腹膜透析治療レジメンのパラメータ又は自由度としてパラメータ充填容積、ドウェル時間及びグルコース濃度に関連して、図１０に示される腹膜透析治療レジメンの候補セットは、図７の候補セットに相当する。
【図１】
2020523045.tif 000003
【図２】
2020523045.tif 000004
【図３】
2020523045.tif 000005
【図４】
2020523045.tif 000006
【図５】
2020523045.tif 000007
【図６】
2020523045.tif 000008
【図７】
2020523045.tif 000009
【図８】
2020523045.tif 000010
【図９】
2020523045.tif 000011
【図１０】
2020523045.tif 000012
【国際調査報告】
2020523045.tif 000013
2020523045.tif 000014
2020523045.tif 000015
2020523045.tif 000016
2020523045.tif 000017